(57)【要約】中継ノード。中継ノードは、第１のＨＡＲＱ機能を提供する第１のハイブリッド自動再送要求（ＨＡＲＱ）エンティティを含む。中継ノードは、第２のＨＡＲＱ機能を提供する第２のＨＡＲＱエンティティをさらに含む。中継ノードは、媒体アクセス制御パケットデータユニット（ＭＡＣ  ＰＤＵ）をアクセスノードから受信するように構成されており、第１のＨＡＲＱエンティティは、ＭＡＣ  ＰＤＵに対してＨＡＲＱ機能を行うように構成されている。【選択図】図３
2012512599.tif 000002
【特許請求の範囲】
【請求項１】
中継ノードを備えるデバイスであって、該中継ノードは、第１のハイブリッド自動再送要求（ＨＡＲＱ）機能を提供する第１のＨＡＲＱエンティティを含み、該中継ノードは、第２のＨＡＲＱ機能を提供する第２のＨＡＲＱエンティティをさらに含む、デバイス。
【請求項２】
前記中継ノードは、媒体アクセス制御パケットデータユニット（ＭＡＣ  ＰＤＵ）をアクセスノードから受信するように構成され、前記第１のＨＡＲＱエンティティは、該ＭＡＣ  ＰＤＵに対してＨＡＲＱ機能を行うように構成される、請求項１に記載のデバイス。
【請求項３】
前記中継ノードは、媒体アクセス制御パケットデータユニット（ＭＡＣ  ＰＤＵ）をアクセスノードに伝送するように構成され、前記第１のＨＡＲＱエンティティは、該ＭＡＣ  ＰＤＵに対してＨＡＲＱ機能を行うように構成される、請求項１または２に記載のデバイス。
【請求項４】
前記中継ノードは、媒体アクセス制御パケットデータユニット（ＭＡＣ  ＰＤＵ）をユーザエージェントに伝送するように構成され、前記第２のＨＡＲＱエンティティは、該ＭＡＣ  ＰＤＵに対してＨＡＲＱ機能を行うように構成される、請求項１〜３のいずれかに記載のデバイス。
【請求項５】
前記中継ノードは、媒体アクセス制御パケットデータユニット（ＭＡＣ  ＰＤＵ）をユーザエージェントから受信するように構成され、前記第２のＨＡＲＱエンティティは、該ＭＡＣ  ＰＤＵに対してＨＡＲＱ機能を行うように構成される、請求項１〜４のいずれかに記載のデバイス。
【請求項６】
前記中継ノードは、巡回冗長検査（ＣＲＣ）を行い、否定応答／肯定応答（ＮＡＣＫ／ＡＣＫ）信号を前記アクセスノードに伝送するようにさらに構成される、請求項１〜５のいずれかに記載のデバイス。
【請求項７】
前記中継ノードは、ＭＡＣ  ＰＤＵをスケジューリングし、前記ユーザエージェントに送信するようにさらに構成される、請求項２〜６のいずれかに記載のデバイス。
【請求項８】
前記中継ノードは、否定応答／肯定応答（ＮＡＣＫ／ＡＣＫ）信号を前記ユーザエージェントから受信するようにさらに構成される、請求項１〜７のいずれかに記載のデバイス。
【請求項９】
前記中継ノードは、前記否定信号（ＮＡＣＫ）の受信に応答して、ハイブリッド自動再送要求（ＨＡＲＱ）再伝送を行うようにさらに構成される、請求項８に記載のデバイス。
【請求項１０】
前記中継ノードは、ＡＣＫが受信されると、前記アクセスノードへの再伝送を回避するように構成される、請求項８または９に記載のデバイス。
【請求項１１】
前記アクセスノードから受信されると、前記ＭＡＣ  ＰＤＵにエラーがある限り、前記中継ノードは、該ＭＡＣ  ＰＤＵの前記ユーザエージェントへの伝送を回避するように構成される、請求項２から１０のいずれかに記載のデバイス。
【請求項１２】
前記中継ノードは、前記ＭＡＣ  ＰＤＵを分解して、より小さい転送ブロックサイズ（ＴＢＳ）を生成するようにさらに構成される、請求項２〜１１のいずれかに記載のデバイス。
【請求項１３】
前記中継ノードは、ＭＡＣ  ＰＤＵの伝送とＮＡＣＫ／ＡＣＫの伝送との間の固定タイミングを維持するようにさらに構成される、請求項８〜１２のいずれかに記載のデバイス。
【請求項１４】
中継ノードを備えるデバイスであって、該中継ノードは、
媒体アクセス制御パケットデータユニット（ＭＡＣ  ＰＤＵ）をアクセスノードから受信することと、
巡回冗長検査（ＣＲＣ）を行わずに、該ＭＡＣ  ＰＤＵを復調およびデコードすることと、
該ＭＡＣ  ＰＤＵをユーザエージェントに転送することと、
否定応答／肯定応答信号（ＮＡＣＫ／ＡＣＫ）を該ユーザエージェントから受信後に、該ＮＡＣＫ／ＡＣＫを該アクセスノードに転送することと
を実行するように構成される、デバイス。
【請求項１５】
前記中継ノードは、
前記ＮＡＣＫ／ＡＣＫを前記アクセスノードに転送後に、再伝送を該アクセスノードから受信することと、
該再伝送を前記ユーザエージェントに転送することと
を実行するようにさらに構成される、請求項１４に記載のデバイス。
【請求項１６】
第１のハイブリッド自動返送要求（ＨＡＲＱ）機能を有する第１のＨＡＲＱエンティティを備える中継ノードに実装される方法であって、該方法は、
該第１のＨＡＲＱエンティティにおいて、媒体アクセス制御データユニット（ＭＡＣ  ＰＤＵ）を受信することと、
該第１のＨＡＲＱエンティティによって、該ＭＡＣ  ＰＤＵに対して第１のＨＡＲＱ機能を行うことと
を含む、方法。
【請求項１７】
前記媒体アクセス制御パケットデータユニット（ＭＡＣ  ＰＤＵ）をアクセスノードから受信することをさらに含む、請求項１６に記載の方法。
【請求項１８】
前記媒体アクセス制御パケットデータユニット（ＭＡＣ  ＰＤＵ）をアクセスノードに伝送することと、
前記第１のＨＡＲＱエンティティが、該ＭＡＣ  ＰＤＵに対してＨＡＲＱ機能を行うことと
をさらに含む、請求項１６または１７に記載の方法。
【請求項１９】
前記中継ノードは、第２のＨＡＲＱ機能を有する第２のＨＡＲＱエンティティをさらに備え、
前記方法は、前記媒体アクセス制御パケットデータユニット（ＭＡＣ  ＰＤＵ）をユーザエージェントに伝送することをさらに含み、
該第２のＨＡＲＱエンティティは、該ＭＡＣ  ＰＤＵに対して第２のＨＡＲＱ機能を行う、請求項１６〜１８のいずれかに記載の方法。
【請求項２０】
前記中継ノードは、第２のＨＡＲＱ機能を有する第２のＨＡＲＱエンティティをさらに備え、
前記方法は、媒体アクセス制御パケットデータユニット（ＭＡＣ  ＰＤＵ）をユーザエージェントから受信することをさらに含み、
該第２のＨＡＲＱエンティティは、該ＭＡＣ  ＰＤＵに対して第２のＨＡＲＱ機能を行う、請求項１６〜１９のいずれかに記載の方法。
【請求項２１】
前記ＭＡＣ  ＰＤＵをスケジューリングすることと、
該ＭＡＣ  ＰＤＵを送信することと
をさらに含む、請求項１６〜２０のいずれかに記載の方法。
【請求項２２】
否定応答／肯定応答（ＮＡＣＫ／ＡＣＫ）信号を受信することをさらに含む、請求項１６〜２１のいずれかに記載の方法。
【請求項２３】
前記否定信号（ＮＡＣＫ）の受信に応答して、ハイブリッド自動再送要求（ＨＡＲＱ）再伝送を行うことをさらに含む、請求項２２に記載の方法。
【請求項２４】
ＡＣＫが受信されると、再伝送が回避される、請求項２２または２３に記載の方法。
【請求項２５】
前記第１のＨＡＲＱエンティティにおいて受信されると、前記ＭＡＣ  ＰＤＵにエラーがある限り、該ＭＡＣ  ＰＤＵの前記ユーザエージェントへの伝送が回避される、請求項１９〜２４のいずれかに記載の方法。
【請求項２６】
前記ＭＡＣ  ＰＤＵを分解して、より小さい転送ブロックサイズ（ＴＢＳ）を生成することをさらに含む、請求項１６〜２５のいずれかに記載の方法。
【請求項２７】
前記ＭＡＣ  ＰＤＵの伝送と前記ＮＡＣＫ／ＡＣＫの伝送との間の固定タイミングを維持することをさらに含む、請求項２２〜２６のいずれかに記載の方法。
【請求項２８】
中継ノードに実装される方法であって、該方法は、
媒体アクセス制御パケットデータユニット（ＭＡＣ  ＰＤＵ）を受信することと、
巡回冗長検査（ＣＲＣ）を行わずに、該ＭＡＣ  ＰＤＵを復調およびデコードすることと、
該ＭＡＣ  ＰＤＵを転送することと、
否定応答／肯定応答信号（ＮＡＣＫ／ＡＣＫ）を受信後に、該ＮＡＣＫ／ＡＣＫ信号を転送することと
を含む、方法。
【請求項２９】
前記ＮＡＣＫ／ＡＣＫを転送後に、再伝送を受信することと、
該再伝送を転送することと
をさらに含む、請求項２８に記載の方法。
【請求項３０】
コンピューティングデバイスのプロセッサによって実行可能なコンピュータ可読命令を格納するコンピュータ可読媒体であって、該コンピュータ可読命令は、１６〜２９に記載のいずれかの方法を該デバイスに実装させる、媒体。
【発明の詳細な説明】
【背景技術】
【０００１】
本明細書で使用される場合、用語「ユーザエージェント」および「ＵＡ」は、ある場合には、携帯電話、携帯端末、携帯式またはラップトップコンピュータ、および電気通信能力を有する類似デバイス等のモバイルデバイスを指す場合がある。そのようなＵＡは、加入者識別モジュール（ＳＩＭ）アプリケーション、汎用加入者識別モジュール（ＵＳＩＭ）アプリケーション、または可撤性ユーザ識別モジュール（Ｒ-ＵＩＭ）アプリケーションを含む、汎用集積回路カード（ＵＩＣＣ）等のＵＡおよびその関連付けられた可撤性メモリモジュールから成る場合があるが、それらに限定されない。代替として、そのようなＵＡは、そのようなモジュールを伴わずに、デバイス単体から成る場合がある。他の場合には、用語「ＵＡ」は、デスクトップコンピュータ、セットトップボックス、またはネットワーク機器等の類似能力を有するが、可搬性ではない、デバイスを指す場合がある。また、用語「ＵＡ」は、ユーザのための通信セッションを終了させることが可能な、任意のハードウェアまたはソフトウェア構成要素を指し得る。また、用語「ユーザエージェント」、「ＵＡ」、「ユーザ機器」、「ＵＥ」、「ユーザデバイス」、および「ユーザノード」は、本明細書では、互換的に使用される場合がある。
【０００２】
電気通信技術の進歩に伴って、以前は不可能であったサービスを提供可能な、より高度なネットワークアクセス機器が導入されてきている。本ネットワークアクセス機器は、従来の無線電気通信システムにおける同等機器の改良である、システムおよびデバイスを含む場合がある。そのような高度または次世代機器は、ロングタームエボリューション（ＬＴＥ）等の発展的無線通信規格に含まれ得る。例えば、ＬＴＥシステムは、拡張ノードＢ（ｅＮＢ）、無線アクセスポイント、または従来の基地局ではない類似構成要素を含む場合がある。本明細書で使用されるように、用語「アクセスノード」は、ＵＡまたは中継ノードの電気通信システム内の他の構成要素へのアクセスを可能にする、受信および伝送範囲の地理的面積を生成する、従来の基地局、無線アクセスポイント、またはＬＴＥ  ｅＮＢ等の無線ネットワークの任意の構成要素を指す。本書では、用語「アクセスノード」および「アクセスノード」は、互換的に使用され得るが、アクセスノードは、複数のハードウェアおよびソフトウェアを備え得ることを理解されたい。
【０００３】
用語「アクセスノード」は、アクセスノードまたは別の中継ノードによって生成される範囲を拡張あるいは増進させるように構成される、無線ネットワーク内の構成要素である、「中継ノード」を指すわけではない。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして動作する場合があることを理解されたい。しかしながら、構成要素は、アクセスノードの無線範囲が、無線通信システム内の他の構成要素にアクセスすることを要求する場合のみ、「中継ノード」と呼ばれる。加えて、２つ以上の中継ノードは、アクセスノードによって生成される範囲を拡張または増進させるために、直列的に使用され得る。
【０００４】
ＬＴＥシステムは、ＵＡとネットワークノードまたは他のＬＴＥ機器との間の無線リソースの割当、構成、および解放に関与する、無線リソース制御（ＲＲＣ）プロトコル等のプロトコルを含み得る。ＲＲＣプロトコルについては、第３世代パートナーシッププロジェクト（３ＧＰＰ）技術仕様（ＴＳ）３６．３３１に詳述されている。ＲＲＣプロトコルによると、ＵＡのための２つの基礎ＲＲＣモードは、「アイドルモード」および「接続モード」として定義される。接続モードまたは状態の間、ＵＡは、信号をネットワークと交換し、他の関連動作を行い得る一方、アイドルモードまたは状態の間、ＵＡは、その接続モード動作の少なくとも一部を停止し得る。アイドルおよび接続モード挙動については、３ＧＰＰ  ＴＳ  ３６．３０４およびＴＳ  ３６．３３１に詳述されている。
【０００５】
ＵＡ、中継ノード、およびアクセスノード間でデータを搬送する信号は、周波数、時間、およびコーディングパラメータ、ならびにネットワークノードによって指定される場合がある他の特性を有し得る。そのような特性の特有の集合を有する、これらの要素のいずれか間の接続は、リソースと称され得る。用語「リソース」、「通信接続」、「チャネル」、および「通信リンク」は、本明細書では、同義的に使用される場合がある。ネットワークノードは、典型的には、各ＵＡまたは任意の特定の時間に通信する他のネットワークノードのために、異なるリソースを確立する。
【発明の概要】
【課題を解決するための手段】
【０００６】
初めに、本開示の１つ以上の実施形態の例示的な実装が後述されるが、開示されるシステムおよび／または方法は、現在において既知または存在するか否かにかかわらず、任意の数の技術を使用して、実装され得ることを理解されたい。本開示は、本明細書に例示および説明される例示的な設計および実装を含め、以下に例示される例示的な実装、図面、ならびに技術にいかようにも限定されるものではなく、添付の請求の範囲とともにそれらの均等物の全範囲内において修正されてもよい。
【０００７】
本開示のより完全な理解のために、添付の図面および詳細な説明と併せて、以下の簡単な説明がここで参照される（類似の参照番号は、類似部品を表す）。
【図面の簡単な説明】
【０００８】
【図１】図１は、本開示のある実施形態による、中継ノードを含む、無線通信システムを例示する概略図である。
【図２】図２は、本開示のある実施形態による、末端間ハイブリッド自動再送要求（ＨＡＲＱ）通信システムを例示するブロック図である。
【図３】図３は、本開示のある実施形態による、独立ハイブリッド自動再送要求（ＨＡＲＱ）通信システムを例示するブロック図である。
【図４Ａ】図４Ａは、本開示のある実施形態による、ダウンリンク上の中継ノードにおける方法の工程図である。
【図４Ｂ】図４Ｂは、本開示のある実施形態による、ダウンリンク上の中継ノードにおける方法工程図である。
【図５Ａ】図５Ａは、本開示のある実施形態による、アップリンク上の中継ノードにおける方法工程図である。
【図５Ｂ】図５Ｂは、本開示のある実施形態による、アップリンク上の中継ノードにおける方法工程図である。
【図６】図６は、本開示のいくつかの実施形態を実装するために好適なプロセッサおよび関連構成要素を例示する。
【発明を実施するための形態】
【０００９】
図１は、本開示のある実施形態による中継ノード１０２を使用する無線通信システム１００を例示する概略図である。概して、本開示は、無線通信ネットワークにおける中継ノードの使用に関する。無線通信ネットワークの実施例として、ＬＴＥまたはＬＴＥ−アドバンスト（ＬＴＥ−Ａ）ネットワークが挙げられるが、開示および請求される実施形態はすべて、ＬＴＥ−Ａネットワークに実装され得る。中継ノード１０２は、ＵＡ１１０から受信した信号を増幅または反復し、修正された信号をアクセスノード１０６において受信させることが可能である。中継ノード１０２のいくつかの実装では、中継ノード１０２は、データを有する信号をＵＡ１１０から受信し、次いで、新しい信号を生成し、データをアクセスノード１０６に伝送する。また、中継ノード１０２は、データをアクセスノード１０６から受信し、データをＵＡ１１０に送達することが可能である。中継ノード１０２は、ＵＡ１１０が、セルのためのアクセスノード１０６と直接通信するのではなく、中継ノード１０２と通信可能であるように、セルのエッジ近傍に設置される場合がある。
【００１０】
無線システムでは、セルは、受信および伝送範囲の地理的領域である。セルは、相互に重複可能である。典型的な実施例では、各セルと関連付けられた１つのアクセスノードが存在する。セルのサイズは、周波数帯域、最大伝送電力レベル、およびチャネル条件等の要因によって決定される。中継ノード１０２等の中継ノードを使用して、セル内またはその近傍の範囲を増大させるか、あるいはセルの範囲のサイズを拡張させることが可能である。加えて、中継ノード１０２の使用は、ＵＡ１１０がセルのためのアクセスノード１０６と直接通信する場合に使用し得るものより高いデータ速度または低い電力伝送で、ＵＡ１１０が中継ノード１０２にアクセス可能であるため、セル内の信号のスループットを増大させることが可能である。同一の帯域幅内のより高いデータ速度における伝送は、より高いスペクトル効率を生成し、より少ないバッテリ電力を消耗することによって、より低い電力は、ＵＡ１１０に恩恵をもたらす。
【００１１】
中継ノードは、概して、３つのタイプ、すなわち、層一中継ノード、層二中継ノード、および層三中継ノードに分割することが可能である。層一中継ノードは、本質的に、増幅および若干の遅延以外、任意の修正を伴わずに、伝送を再伝送可能な中継器である。層二中継ノードは、受信した伝送をデコードし、デコーティングの結果を再エンコードし、次いで、再エンコードされたデータを伝送可能である。層三中継ノードは、完全無線リソース制御能力を有することが可能であって、したがって、アクセスノードと同様に機能することが可能である。中継ノードによって使用される無線リソース制御プロトコルは、アクセスノードによって使用されるものと同一であってもよく、中継ノードは、典型的には、アクセスノードによって使用される一意のセル識別子を有してもよい。本開示の目的のために、中継ノードは、少なくとも１つのアクセスノード（および、そのアクセスノードと関連付けられたセル）の存在または他の中継ノードに、電気通信システム内の他の構成要素にアクセスすることを要求するという事実によって、アクセスノードと区別される。例示的実施形態は、主に、層二または層三中継ノードに関係している。したがって、本明細書で使用されるように、用語「中継ノード」は、別途具体的に記述されない限り、層一中継ノードを指さない。
【００１２】
通信システム１００では、無線通信を可能にするリンクは、３つの個別のタイプであると言える。一つ目は、ＵＡ１１０が、中継ノード１０２を経由して、アクセスノード１０６と通信するとき、ＵＡ１１０と中継ノード１０２との間の通信リンクは、アクセスリンク１０８を介して生じていると言える。二つ目は、中継ノード１０２とアクセスノード１０６との間の通信は、中継リンク１０４を介して生じていると言える。三つ目は、中継ノード１０２を通過せずに、ＵＡ１１０とアクセスノード１０６との間を直接通過する通信は、直接リンク１１２を介して生じていると言える。用語「アクセスリンク」、「中継リンク」、および「直接リンク」は、図１によって説明される意味に従って、本明細書において使用される。
【００１３】
無線通信システムは、エラー検査および補正システムを使用して、無線通信の質を向上させてもよい。エラー検査および補正システムは、相互に直接通信するユーザエージェントおよび／またはアクセスノードに実装されているが、無線通信システムにおける中継ノードの導入は、中継ノードに関連するエラー検査および補正システムの実装に関して、問題を提起する。
【００１４】
例示的実施形態は、少なくとも１つの中継ノードを含む、無線通信システムにおいて、エラー検査および補正システムを提供する。一例示的実施形態では、エラー検査および補正システムは、中継ノード上に実装される。中継ノード上へのエラー検査および補正システムの実装は、スケジューリングゲインを増加させることが可能であって、さらに後述される他の効果も有し得る。
【００１５】
ある特定の例示的実施形態では、中継ノードは、アクセスノードおよびユーザエージェントと通信する。中継ノードは、ハイブリッド自動再送要求（ＨＡＲＱ）エンティティを含む。ＨＡＲＱは、「自動再送要求」（ＡＲＱ）エラー要求方法の変形例である。ＨＡＲＱエンティティは、１つ以上のＨＡＲＱ機能を提供するソフトウェアおよび／またはハードウェアである。ＨＡＲＱ機能は、追跡合成または増分冗長性、ＮＡＣＫ／ＡＣＫ伝送の制御、ＭＡＣ  ＰＤＵの再伝送数の監視および最大値を超えないように確保すること、ならびに当技術分野において周知のその他が挙げられる、再伝送組み合わせ技術を含むが、それらに限定されない。用語「ＨＡＲＱ機能」は、本明細書で使用されるように、これらのＨＡＲＱ機能のうちの１つ以上を想定する。
【００１６】
ＨＡＲＱまたはＡＲＱのいずれにおいても、最初に、データおよびエラー検出情報ビットが伝送される。伝送の受信者が、エラーを検出しない場合、受信者は、データを許可する。受信者が、エラーを検出する場合、受信者は、データおよびデータ受信の成功に有用となるエラー検出情報または他のエラー補正情報の再伝送を要求し得る。
【００１７】
別の例示的実施形態では、本エラーの検出および補正に関連する中継ノードの関与を伴わずに、末端間ＨＡＲＱシステムが、アクセスノードとユーザエージェントとの間に生成される。したがって、本例示的実施形態は、必ずしも、中継ノード上にＨＡＲＱエンティティを必要としない。本特定の例示的実施形態は、図２に関連して説明される。図２に関連して説明されるデバイスは、後述の実施形態に説明される作用を促進するように構成される、１つ以上のプロセッサとして特徴付け可能である。
【００１８】
図２は、本開示のある実施形態による、末端間ＨＡＲＱ通信システム２００を例示するブロック図である。システム２００は、中継ノード１０２を経由して、ユーザエージェント１１０と通信するアクセスノード１０６を含む。アクセスノード１０６およびユーザエージェント１１０は、それぞれ、ピアハイブリッド自動再送要求（ＨＡＲＱ）エンティティ２０２および２０４を含む。
【００１９】
アクセスノード１０６が、媒体アクセス要求（ＭＡＣ）パケットデータユニット（ＰＤＵ）を中継ノード１０２に送信すると、中継ノード１０２は、ＴＢ１の任意の巡回冗長検査（ＣＲＣ）（エラー検出）を伴わずに、ＭＡＣ  ＰＤＵ（転送ブロック１（ＴＢ１））を復調およびデコードするであろう。次いで、中継ノード１０２は、可能性のある異なる変調および符号化方式（ＭＣＳ）によって、転送ブロック１（ＴＢ１）をユーザエージェント１１０に転送するであろう。
【００２０】
ユーザエージェント１１０が、転送ブロック１を受信後、ユーザエージェント１１０は、ＣＲＣを行い、矢印１０８によって示されるように、否定応答／肯定応答（ＮＡＣＫ／ＡＣＫ）信号を中継ノード１０２に送信するであろう（また、矢印１０８は、アクセスリンクも表し得る）。次に、中継ノード１０２は、矢印１０４によって示されるように、ＮＡＣＫ／ＡＣＫをアクセスノード１０６に転送するであろう（また、矢印１０４は、中継リンクも表し得る）。受信したＮＡＣＫ／ＡＣＫ情報に基づいて、アクセスノード１０６は、所望または必要に応じて、転送ブロック１（ＭＡＣ  ＰＤＵ）の再伝送あるいは他のエラー検出および補正情報の伝送を行うであろう。
【００２１】
同様に、アップリンクでは、ＵＡ１１０が、ＭＡＣ  ＰＤＵを中継ノード１０２に送信すると、中継ノードは、伝送された転送ブロック（ＴＢ）の任意のＣＲＣ（エラー検出）を伴わずに、ＭＡＣ  ＰＤＵを復調およびデコードするであろう。次いで、中継ノード１０２は、可能性のある異なるＭＣＳによって、ＴＢをアクセスノード１０６に転送するであろう。アクセスノード１０６が、ＴＢを受信後、アクセスノード１０６は、ＣＲＣを行い、結果に基づいて、ＮＡＣＫ／ＡＣＫ信号を中継ノード１０２に送信するであろう。次いで、中継ノード１０２は、ＮＡＣＫ／ＡＣＫをＵＡ１１０に転送するであろう。ＵＡ１１０は、ＮＡＣＫが受信される場合、ＴＢの再伝送または他のエラー検出および補正情報の伝送を行ってもよい。
【００２２】
図２に示される例示的実施形態の主要な利点は、中継ノード１０２が、ＨＡＲＱ機能を提供する必要がないことである。しかしながら、本システムのいくつかの不利点も、存在し得る。
【００２３】
不利点の１つは、中継リンク１０４におけるエラーが、アクセスリンク１０８に伝搬されることである。エラー伝搬は、ユーザエージェント１１０に不必要なバッテリ消耗を生じさせ得る。１０％のブロックエラー率（ＢＬＥＲ）が、初期伝送に一般的であり得ることを考慮すると、ユーザエージェントにおける不必要なバッテリ消耗が起こり得る。
【００２４】
別の不利点は、転送を行う際の中継ノードにおける可能性のある可変スケジューリング遅延による、パケット伝送とＮＡＣＫ／ＡＣＫフィードバックとの間の要求タイミング関係の困難性であり得る。さらに、部分的に、本可能性のある可変遅延による、パケット伝送と関連付けられたＮＡＣＫ／ＡＣＫとの間のリソースリンクに関して、付加的な複雑性が存在し得る（すなわち、あるパケット伝送のために、ＮＡＣＫ／ＡＣＫを伝送するために使用されるリソース）。
【００２５】
さらに別の不利点は、無線リンク条件が、中継リンク（矢印１０４）とアクセスリンク（矢印１０８）との間で異なることであり得る。図２に示される例示的実施形態では、ＴＢ１（ＭＡＣ  ＰＤＵ）のサイズは、中継リンク１０４およびアクセスリンク１０８上で同一である必要がある。しかしながら、無線条件が変化する場合、伝送のために同一の転送ブロックサイズを維持することは、スケジューリングゲインを制限し、また、スループットに影響を及ぼし得る。
【００２６】
さらに別の不利点は、２つのリンク（中継およびアクセス）が、ＮＡＣＫ／ＡＣＫフィードバックに関与するので、ＮＡＣＫ／ＡＣＫエラー率が大きくなり得ることである。しかしながら、これらの問題は、中継ノード１０２自体上にＨＡＲＱエンティティを実装することによって、克服され得る。本システムは、図３に示される。
【００２７】
図３は、本開示のある実施形態による、ＨＡＲＱ通信システム３００を例示するブロック図である。図３に示される独立ＨＡＲＱ通信システム３００は、図１および図２に関連して説明される対象を含む。したがって、図２および３は、類似対象を指すいくつかの共通参照番号を有する。図３に関連して説明されるデバイスは、後述の実施形態に説明される作用を促進するように構成される１つ以上のプロセッサとして特徴付けることが可能である。
【００２８】
しかしながら、それぞれ、ＨＡＲＱエンティティ２０２および２０４を有する、ユーザエージェント１１０およびアクセスノード１０６に加え、中継ノード１０２は、その独自のＨＡＲＱエンティティ３０２および３０４を含む。ＨＡＲＱエンティティ３０２および３０４は、中継ノード１０２においてエラー検出および補正ビットのデコードおよびエンコードを処理する。ＨＡＲＱエンティティ３０２および３０４は、別個のエンティティであり得るが、また、単一のＨＡＲＱエンティティとしても特徴付けられ得る。図２の説明と同様に、ＨＡＲＱエンティティは、ソフトウェア、ファームウェア、またはハードウェア、あるいはＨＡＲＱ機能を実装可能な任意の組み合わせを使用して、実装可能である。
【００２９】
図３に示される例示的システム３００では、中継リンク１０４およびアクセスリンク１０８は両方とも、その独自の独立ＨＡＲＱエンティティ（それぞれ、ＨＡＲＱエンティティ３０２およびＨＡＲＱエンティティ３０４）に対して動作する。ＨＡＲＱエンティティ３０２およびＨＡＲＱエンティティ３０４は、中継ノード１０２上に格納されるか、またはその一部である。
【００３０】
アクセスノード１０６が、矢印３０３Ａに示されるように、データパケットおよびエラー検出情報を中継ノード１０２に送信すると、中継ノード１０２は、データパケットを復調およびデコードし、巡回冗長検査（ＣＲＣ）（エラー検出）を行うであろう。次いで、中継ノード１０２は、矢印３０３Ｂに示されるように、ＮＡＣＫ／ＡＣＫをアクセスノード１０６に送信するであろう。次に、アクセスノード１０６は、所望または必要に応じて、ＨＡＲＱ再伝送を行うであろう。
【００３１】
中継ノード１０２が、ＨＡＲＱエンティティ３０２によって決定されるように、ＭＡＣ  ＰＤＵの受信に成功すると、中継ノード１０２は、受信したＭＡＣ  ＰＤＵをより上層に送達するであろう。次いで、中継ノード１０２は、データをさらにスケジューリングし、ユーザエージェント１１０に伝送し、そこで、ＨＡＲＱエンティティ３０４は、中継ノード１０２のために、ユーザエージェント１１０に送信されるデータのＨＡＲＱプロセスを処理するする。中継ノード１０２は、矢印３０５Ａによって示されるように、無線条件に応じて、ＭＡＣ  ＰＤＵを再セグメント化してもよい。ユーザエージェント１１０が、データを受信後、ユーザエージェント１１０は、矢印３０５Ｂによって示されるように、ＮＡＣＫ／ＡＣＫを中継ノード１０２に送信するであろう。次に、必要または所望に応じて、中継ノード１０２は、ＨＡＲＱ再伝送を行うであろう。ユーザエージェント１１０からアクセスノードへの直接フィードバックは、必要ない。
【００３２】
同様に、アップリンクでは、ＵＡ１１０が、ＭＡＣ  ＰＤＵを中継ノード１０２に送信すると、中継ノード１０２は、ＭＡＣ  ＰＤＵを復調およびデコードし、巡回冗長検査（ＣＲＣ）を行うであろう。これらの機能は、ＨＡＲＱ機能の実施例であるが、当技術分野において周知のように、より少ないかまたはより多いＨＡＲＱ機能が存在し、使用され得る。次いで、中継ノード１０２は、ＣＲＣの結果に基づいて、ＮＡＣＫ／ＡＣＫをＵＡ１１０に送信するであろう。次に、ＵＡ１１０は、所望または必要に応じて、ＨＡＲＱ再伝送を行うであろう。中継ノード１０２が、ＭＡＣ  ＰＤＵの受信を成功すると、中継ノード１０２は、データをＲＬＣ層に送達し、次いで、中継ノードは、データをスケジューリングし、アクセスノード１０６に送信してもよい。中継ノード１０２は、無線条件に応じて、データを再セグメント化または連結してもよい。アクセスノード１０６は、ＭＡＣ  ＰＤＵを受信後、ＣＲＣを行うであろう。ＣＲＣの結果に基づいて、アクセスノード１０６は、ＮＡＣＫ／ＡＣＫを中継ノード１０２に送信するであろう。次に、中継ノード１０２は、必要または所望に応じて、再伝送を行うであろう。アクセスノード１０６からＵＡ１１０への直接フィードバックは、必要ない。
【００３３】
図３に示される例示的実施形態は、いくつかの効果を有し得る。例えば、中継ノード１０２は、エラーが検出されない場合のみ、ＭＡＣ  ＰＤＵを転送する。本特徴は、アクセスリンク１０８のリソースのより効率的な使用を可能にする。
【００３４】
図３に示される解決策の別の利点は、各リンク上の特定の無線条件の活用が可能なことである。例えば、ＭＡＣプロトコル、無線リンク要求プロトコル、またはパケットデータ収束プロトコルは、ＭＡＣ  ＰＤＵをセグメント化あるいは連結し、アクセスリンク１０８上での異なる転送ブロックサイズ（ＴＢＳ）またはより高いスケジューリングゲインを可能にする。図３に示される解決策のさらなる利点は、パケット伝送とＮＡＣＫ／ＡＣＫ伝送との間の固定タイミングが維持されることである。
【００３５】
図３に関連して説明される実施形態は、２つのＨＡＲＱエンティティを有する中継ノードを想定するが、また、他の実施形態も実装され得る。例えば、単一のＨＡＲＱエンティティが、中継ノード１０２に実装され、単一のＨＡＲＱエンティティが、別個のＨＡＲＱエンティティ（ＨＡＲＱエンティティ３０２およびＡＲＱエンティティ３０４）の両方の機能を行い得る。
【００３６】
加えて、実施形態は、アクセスノード１０６とユーザエージェント１１０との間の複数の中継ノードを想定する。付加的な中継ノードはそれぞれ、１つのＨＡＲＱエンティティ、２つのＨＡＲＱエンティティを有し得るか、またはＨＡＲＱエンティティを有しない。後者の場合、中継ノードは、いくつかのＨＡＲＱ機能を行わずに、信号のみを中継するであろう。
【００３７】
さらに、所望に応じて、３つ以上のＨＡＲＱエンティティが、１つ以上の中継ノードに実装され得る。複数のＨＡＲＱエンティティは、異なるＵＡ集合、異なるアクセスノードに対処するように割り当てられるか、または他の目的のために使用され得る。
【００３８】
図４Ａは、本開示のある実施形態による、ダウンリンク上の中継ノードにおける方法の工程図である。中継ノードおよびその動作の実施例は、特に、図１−３に関連して、上述されている。プロセスは、ソフトウェア、ハードウェア、ファームウェア、またはそれらの組み合わせを使用して、実装可能である。
【００３９】
プロセスは、中継ノードが、ＭＡＣ  ＰＤＵをアクセスノードから受信することによって開始し、そこで、ＭＡＣ  ＰＤＵは、第１のハイブリッド自動再送要求（ＨＡＲＱ）エンティティおよび第２のＨＡＲＱエンティティを含む中継ノードにおいて受信される（ブロック４００Ａ）。次いで、中継ノードは、第１のＨＡＲＱエンティティを使用して、ＭＡＣ  ＰＤＵに対して、第１のＨＡＲＱ機能を行う（ブロック４０２Ａ）。この第１のＨＡＲＱ機能は、アクセスノードと中継ノードとの間のＭＡＣ  ＰＤＵのためのＨＡＲＱプロセスを終了し得る。
【００４０】
次に、中継ノードは、中継ノードが、ＭＡＣ  ＰＤＵをスケジューリングし、ユーザエージェントに伝送する前に、ＭＡＣ  ＰＤＵを再セグメント化し、再エンコードし得る（ブロック４０４Ａ）。その後、中継ノードは、第２のＨＡＲＱエンティティによって、ＮＡＣＫ／ＡＣＫをＵＡから受信し得る（ブロック４０６Ａ）。最後に、ＮＡＣＫ／ＡＣＫの受信に応答して、中継ノードは、ＨＡＲＱ再伝送を行い得る（ブロック４０８Ａ）。その後、プロセスは終了する。
【００４１】
ブロック４０４Ａに提供されるように、中継ノードがＭＡＣ  ＰＤＵを変化させる可能性が存在する。例えば、中継ノードは、ＭＡＣ  ＰＤＵを再セグメント化または連結するＭＡＣ  ＰＤＵを再エンコードするか、あるいはＭＡＣ  ＰＤＵの再セグメント化および再エンコードの両方を行い得る。これらの場合のいずれにおいても、中継ノードは、ＭＡＣ  ＰＤＵをスケジューリングし、伝送する。
【００４２】
図４Ａに提供される実施形態では、２つのＨＡＲＱエンティティを有する単一の中継ノードが説明されている。しかしながら、また、実施形態は、この技術の変形例も想定する。例えば、２つ以上の中継が、ＵＡとアクセスノードとの間で使用され得る。１つ以上の中継ノードの場合、図４Ａに説明される単一の中継ノードと同様に、各中継ノードは、２つのＨＡＲＱエンティティを有し得る。しかしながら、１つ以上の中継ノードは、代わりに、ＨＡＲＱエンティティを有するそれらの中継ノードの場合の図４Ａに示される方法手順を伴って、ＨＡＲＱエンティティを有しない可能性もある。加えて、１つ以上の中継ノードは、代わりに、上述の２つの別個のＨＡＲＱエンティティの機能を行う単一のＨＡＲＱエンティティを有し得る。また、これらの実施形態の他の修正例も、実装され得る。
【００４３】
図４Ｂは、本開示のある実施形態によるダウンリンク上の中継ノードにおける方法の工程図である。中継ノードおよびその動作の実施例は、特に、図１−３に関連して、上述されている。プロセスは、ソフトウェア、ハードウェア、ファームウェア、またはそれらの組み合わせを使用して、実装可能である。
【００４４】
プロセスは、中継ノードが、ＭＡＣ  ＰＤＵをアクセスノードから受信することによって開始する（ブロック４００Ｂ）。次いで、中継ノードは、巡回冗長検査（ＣＲＣ）を行わずに、ＭＡＣ  ＰＤＵを復調する（ブロック４０２Ｂ）。次いで、中継ノードは、ＭＡＣ  ＰＤＵをユーザエージェントに転送する（ブロック４０４Ｂ）。変調は、異なってもよいが、ＭＡＣ  ＰＤＵは、再セグメント化されなくてもよい。ＭＡＣ  ＰＤＵは、再エンコードされてもよく、またはそうでなくてもよい。
【００４５】
否定応答／肯定応答信号（ＮＡＣＫ／ＡＣＫ）をユーザエージェントから受信後、中継ノードは、ＮＡＣＫ／ＡＣＫをアクセスノードに転送する（ブロック４０６Ｂ）。ＮＡＣＫ／ＡＣＫをアクセスノードに転送後に、中継ノードは、再伝送をアクセスノードから受信してもよい（ブロック４０８Ｂ）。次いで、中継ノードは、再伝送をユーザエージェントに転送する（ブロック４１０Ｂ）。次いで、中継ノードは、ＡＣＫ信号をＵＡから受信するか、または最大数の再伝送が完了したかどうかを決定する（ブロック４１２Ｂ）。ＡＣＫが、受信される場合、または最大数の再伝送が完了する場合、プロセスは、終了する。最大数の再伝送が完了していない場合、プロセスは、ステップ４０６に戻り、最大数の許容再伝送が完了するまで繰り返され得る。
【００４６】
図５Ａは、本開示のある実施形態による、アップリンク上の中継ノードにおける方法の工程図である。中継ノードおよびその動作の実施例は、特に、図１?３に関連して、上述された。プロセスは、ソフトウェア、ハードウェア、ファームウェア、またはそれらの組み合わせを使用して、実装可能である。
【００４７】
プロセスは、中継ノードが、ＭＡＣ  ＰＤＵをＵＡから受信することによって開始する（ブロック５００Ａ）。次いで、中継ノードは、伝送された転送ブロックの任意のＣＲＣを伴わずに、ＭＡＣ  ＰＤＵを復調する（ブロック５０２Ａ）。中継ノードは、可能性として、異なるＭＣＳ（変調および符号化方式）によって、転送ブロックをアクセスノードに転送する（ブロック５０４Ａ）。その後、中継ノードは、ＮＡＣＫ／ＡＣＫをアクセスノードから受信する（ブロック５０６Ａ）。次に、中継ノードは、ＮＡＣＫ／ＡＣＫをＵＡに転送する（ブロック５０８Ａ）。所望または必要に応じて、中継ノードは、ＭＡＣ  ＰＤＵの再伝送をＵＡから受信し（ブロック５１０Ａ）、次いで、ＭＡＣ  ＰＤＵの再伝送をアクセスノードに転送する（ブロック５１２Ａ）。その後、プロセスは、終了する。
【００４８】
図５Ｂは、本開示のある実施形態による、アップリンク上の中継ノードにおける方法の工程図である。中継ノードおよびその動作の実施例は、特に、図１?３に関連して、上述された。プロセスは、ソフトウェア、ハードウェア、ファームウェア、またはそれらの組み合わせを使用して、実装可能である。図５Ｂの実施形態では、中継ノードに実装される種々の機能は、図３に関連して提供されるように、１つ以上のＨＡＲＱエンティティによって実装され得る。
【００４９】
プロセスは、中継ノードが、第１のＨＡＲＱエンティティにおいて、ＭＡＣ  ＰＤＵをユーザエージェントから受信することによって開始する（ブロック５００Ｂ）。中継ノード１０２は、第１のＨＡＲＱエンティティを使用して、ＭＡＣ  ＰＤＵを復調し、巡回冗長検査（ＣＲＣ）を行い得る（ブロック５０２Ｂ）。これらの機能は、ＨＡＲＱ機能の実施例であるが、当技術分野において周知のように、より少ないまたはより多いＨＡＲＱ機能が存在し、使用され得る。
【００５０】
次いで、中継ノード１０２は、ＣＲＣの結果に基づいて、第１のＨＡＲＱエンティティを使用して、ＮＡＣＫ／ＡＣＫをＵＡに送信するであろう（ブロック５０４Ｂ）。ＮＡＣＫ／ＡＣＫの結果に基づいて、中継ノードが、ＨＡＲＱ  ＭＡＣ  ＰＤＵの再伝送をＵＡから受信すべきかどうかを決定する（ブロック５０６Ｂ）。ＨＡＲＱ再伝送が、所望または必要である場合、プロセスは、ステップ５００Ｂに戻り、繰り返される。
【００５１】
ＨＡＲＱ再伝送が、所望されないか、または可能性として不必要である場合、中継ノードが、ＭＡＣ  ＰＤＵを受信すると、中継ノードは、ＭＡＣ  ＰＤＵをスケジューリングし、第２のＨＡＲＱエンティティを使用して、アクセスノードに送信するであろう（ブロック５０８Ｂ）。ある実施形態では、中継ノードの第２のＨＡＲＱエンティティは、無線条件に応じて、ＭＡＣ  ＰＤＵを再セグメント化または連結してもよい。次いで、中継ノードは、それ自体がＣＲＣ検査を行い得る信号をアクセスノードから受信するために待機する。中継ノードは、第２のＨＡＲＱエンティティにおいて、ＮＡＣＫ／ＡＣＫをアクセスノードから受信するであろう（ブロック５１０Ｂ）。次に、中継ノードは、所望または必要に応じて、アクセスノードへの再伝送を行うであろう（ブロック５１２Ｂ）。その後、プロセスは、終了する。ＵＡとアクセスノードとの間において、ＵＡへまたはそこからの直接フィードバックは、必要ないことに留意されない。
【００５２】
図５Ｂに提供される実施形態では、２つのＨＡＲＱエンティティを有する単一の中継ノードを使用して、上述の方法を実装する。しかしながら、また、実施形態は、本技術の変形例も想定する。例えば、２つ以上の中継が、ＵＡとアクセスノードとの間で使用され得る。１つ以上の中継ノードの場合、図５Ｂに説明される単一の中継ノードと同様に、各中継ノードは、２つのＨＡＲＱエンティティを有し得る。しかしながら、１つ以上の中継ノードは、代わりに、ＨＡＲＱエンティティを有するそれらの中継ノードの場合の図５Ｂに示される方法手順を伴って、ＨＡＲＱエンティティを有しない可能性がある。加えて、１つ以上の中継ノードは、代わりに、上述の２つの別個のＨＡＲＱエンティティの機能を行う単一のＨＡＲＱエンティティを有し得る。また、これらの実施形態の他の修正例も、実装され得る。
【００５３】
ＵＡ１１０および上述の他の構成要素は、上述の作用に関連する命令を実行可能である処理構成要を含む場合がある。図６は、本明細書に開示される１つ以上の実施形態を実装するために好適な処理構成要素１３１０を含む、システム１３００の実施例を例示する。プロセッサ１３１０（中央処理装置またはＣＰＵと称され得る）に加え、システム１３００は、ネットワーク接続デバイス１３２０、ランダムアクセスメモリ（ＲＡＭ）１３３０、読取専用メモリ（ＲＯＭ）１３４０、二次記憶装置１３５０、および入／出力（Ｉ／Ｏ）デバイス１３６０を含む場合がある。これらの構成要素は、バス１３７０を経由して、相互に通信する場合がある。ある場合には、これらの構成要素のうちのいくつかは、存在しなくてもよく、または相互または図示されない他の構成要素との種々の組み合わせにおいて組み合わされてもよい。これらの構成要素は、単一の物理的エンティティまたは２つ以上の物理的エンティティ内に位置する場合がある。プロセッサ１３１０によって行われる、本明細書に説明される任意の作用は、プロセッサ１３１０単独によって、あるいはデジタル信号プロセッサ（ＤＳＰ）５０２等の図面に図示されるか、または図示されない、１つ以上の構成要素と併せて、プロセッサ１３１０によって行われる場合がある。ＤＳＰ５０２は、別個の構成要素として示されるが、ＤＳＰ５０２は、プロセッサ１３１０内に組み込まれる場合がある。
【００５４】
プロセッサ１３１０は、ネットワーク接続デバイス１３２０、ＲＡＭ１３３０、ＲＯＭ１３４０、または二次記憶装置１３５０（ハードディスク、フロッピー（登録商標）ディスク、または光ディスク等の種々のディスクベースのシステムを含む場合がある）からアクセスし得る、命令、コード、コンピュータプログラム、あるいはスクリプトを実行する。１つのＣＰＵ１３１０のみ示されるが、複数のプロセッサが存在してもよい。したがって、命令は、プロセッサによって実装されるように論じられ得るが、命令は、１つまたは複数のプロセッサによって、同時に、連続的に、または別様に実行されてもよい。プロセッサ１３１０は、１つ以上のＣＰＵチップとして実装されてもよい。
【００５５】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバー分散データインタフェース（ＦＤＤＩ）デバイス、無線ローカルエリアネットワーク（ＷＬＡＮ）デバイス、符号分割多重アクセス方式（ＣＤＭＡ）デバイス等の無線送受信機デバイス、グローバル・システム・フォー・モバイル・コミュニケーションズ（ＧＳＭ）無線送受信機デバイス、ワイマックス（ＷｉＭＡＸ）デバイス、および／またはネットワークに接続するための他の周知のデバイスの形態をとってもよい。これらのネットワーク接続デバイス１３２０によって、プロセッサ１３１０は、プロセッサ１３１０が情報を受信する、またはプロセッサ１３１０が情報を出力し得る、インターネットまたは１つ以上の電気通信ネットワークまたは他のネットワークと通信可能となり得る。また、ネットワーク接続デバイス１３２０は、データを無線で伝送および／または受信可能な１つ以上の送受信機構成要素１３２５を含む場合がある。
【００５６】
ＲＡＭ１３３０は、揮発性データと、おそらく、プロセッサ１３１０によって実行される命令とを格納するために使用される場合がある。ＲＯＭ１３４０は、典型的には、二次記憶装置１３５０のメモリ容量より小さいメモリ容量を有する不揮発性メモリデバイスである。ＲＯＭ１３４０は、命令と、おそらく、命令の実行の際に読み取られるデータとを格納するために使用される場合がある。ＲＡＭ１３３０およびＲＯＭ１３４０の両方へのアクセスは、典型的には、二次記憶装置１３５０へよりも高速である。二次記憶装置１３５０は、典型的には、１つ以上のディスクドライプまたはテープドライブから構成され、データの不揮発性記憶のため、またはＲＡＭ１３３０が、全作業データを保持するために十分な大きさではない場合、オーバーフローデータ記憶デバイスとして、使用される場合がある。二次記憶装置１３５０は、プログラムが、実行のために選択されると、ＲＡＭ１３３０にロードされる、そのようなプログラムを記憶するために使用されてもよい。
【００５７】
Ｉ／Ｏデバイス１３６０は、液晶ディスプレイ（ＬＣＤ）、タッチスクリーンディスプレイ、キーボード、スイッチ、ダイヤル、マウス、トラックボール、音声認識装置、カードリーダ、ペーパーテープリーダ、プリンタ、ビデオモニタ、または他の周知の入力デバイスを含んでもよい。また、送受信機１３２５は、ネットワーク接続デバイス１３２０の構成要素の代わりに、またはそれに加えて、Ｉ／Ｏデバイス１３６０の構成要素であると見なされる場合がある。
【００５８】
第３世代パートナーシッププロジェクト（３ＧＰＰ）技術仕様（ＴＳ）３６．３００および３ＧＰＰ  ＴＳ  ３６．３２１は、あらゆる目的のために、参照することによって本明細書に組み込まれる。
【００５９】
また、例示的実施形態は、中継ノードを提供する。中継ノードは、第１のＨＡＲＱ機能を提供する第１のハイブリッド自動再送要求（ＨＡＲＱ）エンティティを含む。中継ノードは、第２のＨＡＲＱ機能を提供する第２のＨＡＲＱエンティティをさらに含む。
【００６０】
また、例示的実施形態は、異なる構成を有する中継ノードを提供する。この異なる構成においては、中継ノードは、媒体アクセス制御パケットデータユニット（ＭＡＣ  ＰＤＵ）をアクセスノードから受信し、巡回冗長検査（ＣＲＣ）を行わずに、ＭＡＣ  ＰＤＵを復調およびデコードし、ＭＡＣ  ＰＤＵをユーザエージェントに転送し、否定応答／肯定応答信号（ＮＡＣＫ／ＡＣＫ）をユーザエージェントから受信後に、ＮＡＣＫ／ＡＣＫをアクセスノードに転送するように構成される。
【００６１】
また、例示的実施形態は、第１のＨＡＲＱ機能を提供する第１のハイブリッド自動再送要求（ＨＡＲＱ）エンティティと、第２のＨＡＲＱ機能を提供する第２のＨＡＲＱエンティティとを備える、中継ノードに実装される方法を提供する。方法は、媒体アクセス制御パケットデータユニット（ＭＡＣ  ＰＤＵ）をアクセスノードから受信するステップと、第１のＨＡＲＱエンティティによって、ＭＡＣ  ＰＤＵに対して、第１のＨＡＲＱ機能を行うステップとを含む。
【００６２】
また、例示的実施形態は、第１のＨＡＲＱ機能を提供する第１のハイブリッド自動再送要求（ＨＡＲＱ）エンティティと、第２のＨＡＲＱ機能を提供する第２のＨＡＲＱエンティティとを備える中継ノードに実装される異なる方法を提供する。この方法では、媒体アクセス制御パケットデータユニット（ＭＡＣ  ＰＤＵ）は、アクセスノードから受信される。第１のＨＡＲＱエンティティを使用して、第１のＨＡＲＱ機能が、ＭＡＣ  ＰＤＵに対して行われる。
【００６３】
いくつかの実施形態が、本開示に提供されたが、開示されるシステムおよび方法は、本開示の精神または範囲から逸脱することなく、多くの他の特定の形態において具現化され得ることを理解されたい。この実施例は、限定ではなく、例示として見なされ、本明細書に与えられる詳細に限定されないことが意図される。例えば、種々の要素または構成要素は、組み合わせられるか、または別のシステムに統合されてもよく、あるいは、ある特徴は省略されるか、または実装されなくてもよい。
【００６４】
また、個別または別個として、種々の実施形態に説明および例示される技術、システム、サブシステム、ならびに方法は、本開示の範囲から逸脱することなく、他のシステム、モジュール、技術、または方法と組み合わせられるか、あるいは統合されてもよい。結合されるか、または直接結合されるか、あるいは相互に通信するように示されるか、もしくは論じられる他のアイテムは、電気的に、機械的に、または別様であるかにかかわらず、いくつかのインターフェース、デバイス、あるいは中間構成要素を通して、間接的に結合されるか、もしくは通信してもよい。変更、代用、および改変の他の実施例も、当業者によって確認することが可能であって、本明細書に開示される精神および範囲から逸脱することなく、なされ得る。
【図１】
2012512599.tif 000003
【図２】
2012512599.tif 000004
【図３】
2012512599.tif 000005
【図４Ａ】
2012512599.tif 000006
【図４Ｂ】
2012512599.tif 000007
【図５Ａ】
2012512599.tif 000008
【図５Ｂ】
2012512599.tif 000009
【図６】
2012512599.tif 000010
【国際調査報告】
2012512599.tif 000011
2012512599.tif 000012
2012512599.tif 000013
2012512599.tif 000014
2012512599.tif 000015